(57)【要約】【課題】什器や機械類を容易に移動することができる。【解決手段】建物の構造床１０の上に並べて複数配設される床パネル本体２と、什器や機械類などの積載物３０を支持すると共に、床パネル本体２に設けられたレール（ガイド部）３に沿って移動可能な支持部４と、支持部４を床パネル本体２に固定できる固定部材と、から構成されている。支持部４に架台３１が固定されて、架台の上に積載物３０が設置される。積載物３０および架台３１は、支持部４と共にレール３に沿って移動し、固定部材で支持部４を床パネル本体２に固定することによって積載物３０が固定される。【選択図】図３
2010261176.tif 000002
【特許請求の範囲】
【請求項１】
建物の構造床の上に配設されて、上部に設置された什器および機械類などの積載物を水平方向に移動可能に支持する床パネルであって、
前記構造物の上に配設される床パネル本体と、
前記積載物を支持すると共に前記床パネル本体に設けられたガイド部に沿って移動可能な支持部と、を備えることを特徴とする床パネル。
【請求項２】
前記支持部を前記床パネル本体の所定の位置に固定する固定部材が設けられていることを特徴とする請求項１に記載の床パネル。
【請求項３】
前記支持部の上部には前記積載物が配設される架台が設けられていることを特徴とする請求項１または２に記載の床パネル。
【請求項４】
前記支持部と前記積載物との間には前記積載物の設置高さを調整する高さ調整部材が設置されることを特徴とする請求項１乃至３のいずれかに記載の床パネル。
【請求項５】
前記ガイド部と前記支持部との間にはすべり支承が設けられていることを特徴とする請求項１乃至４のいずれかに記載の床パネル。
【請求項６】
前記床パネルは二重床構造であることを特徴とする請求項１乃至５のいずれかに記載の床パネル。
【請求項７】
前記床パネルは電力および通信機能を有するユニットを備えていて、前記積載物は前記電力および通信機能を有するユニットに接続可能であることを特徴とする請求項１乃至６のいずれかに記載の床パネル。
【請求項８】
前記床パネルは複数並べて使用可能であることを特徴とする請求項１乃至７のいずれかに記載の床パネル。
【発明の詳細な説明】
【技術分野】
【０００１】
本発明は、建物の構造床の上に設置される床パネルに関し、特に、上部に配設された什器や機械などの積載物を移動できる床パネルに関する。
【背景技術】
【０００２】
オフィスビルの事務室や通信機械室などにおいて、建物の構造床の上に二重床（フリーアクセスフロア）を設置し、構造床と二重床との間のスペースに電気や通信などの各種ケーブル類を配線している。二重床を設置すると、床上に露出するケーブル類が少ないので、安全で見栄えがよく、また、ケーブル類の損傷を防ぐことができる。
また、通信機械室などでは、構造床と二重床との間のスペースに空調空気を送風し、適宜設けられた給気口から空調空気を給気して、機械類からの発熱による室内の温度上昇を防いでいる。
【０００３】
このような二重床の形態は大きく分けて二種類あり、一つは構造床に設置された複数の脚部の上に床面を形成するパネルを載せる形態と、もう一つは床面を形成するパネルが複数の脚部と連結し、一体化したパネルと脚部とを構造床に設置する形態である。
前者は二重床上に配設される什器や機械類の重量が比較的軽い場合に適しており、事務室や、通信機械室の通路やメンテナンススペースなどの機械類の配設されない部分に使用される。一方、後者は、二重床上に配設される什器や機械類の重量が比較的重い場合に適しており、主に、通信機械室の機械類の直下などに使用される。
【０００４】
特許文献１では、二重床の床面となるカバーと、このカバーを支えるベースとを備える幹線収納用二重床パネルが提案されている。
この幹線収納用二重床パネルでは、カバーとベースとの間の収納空間に各種配線を挿通させる構成で、ベースは内部が略全て収納空間となるように形成されて、この収納空間を複数に仕切る支持壁を備えている。
【先行技術文献】
【特許文献】
【０００５】
【特許文献１】特開２０００−１２９８９８号公報
【発明の概要】
【発明が解決しようとする課題】
【０００６】
しかしながら、従来の二重床では以下のような問題があった。
室内の用途変更やレイアウト変更などにより機械類を移動させる場合には、機械類と共に二重床を撤去したり新設したりすることがあるという問題があった。
また、什器や機械類の移動は労力や時間がかかり、什器や機械類が大型の場合には、そのまま移動できず、什器や機械類を解体してから移動させ、再度組み立てる必要があった。また、什器や機械類の移動において、技術者を必要とする配線工事が伴う場合には、時間やコストがかかっていた。
【０００７】
本発明は、上述する問題点に鑑みてなされたもので、上部に配設された什器や機械類の移動を容易に行うことができる床パネルを提供することを目的とする。
【課題を解決するための手段】
【０００８】
上記目的を達成するため、本発明に係る床パネルは、建物の構造床の上に配設されて、上部に設置された什器および機械類などの積載物を水平方向に移動可能に支持する床パネルであって、構造物の上に配設される床パネル本体と、積載物を支持すると共に床パネル本体に設けられたガイド部に沿って移動可能な支持部と、を備えることを特徴とする。
また、本発明に係る床パネルでは、支持部を床パネル本体の所定の位置に固定する固定部材が設けられている。
本発明では、支持部は積載物を支持すると共に床パネル本体に設けられたガイド部に沿って移動可能なので、支持部をガイド部に沿って移動させることによって積載物の移動を容易に行うことができる。また、固定部材によって移動させた積載物を任意の位置に固定することができる。
【０００９】
また、本発明に係る床パネルでは、支持部の上部には積載物が配設される架台が設けられていることが好ましい。
本発明では、支持部の上部に架台が設けられていることにより、架台で積載物を支持することができる。
【００１０】
また、本発明に係る床パネルでは、支持部と積載物との間には積載物の設置高さを調整する高さ調整部材が設置される構成としてもよい。
本発明では、支持部と積載物との間に高さ調整部材を設置することにより、床パネルと積載物との間にスペースを設けることができる。そして、このスペースを各種ケーブルの配線スペースや、機械類からの発熱を冷却する気流スペースとして使用することができる。
【００１１】
また、本発明に係る床パネルでは、ガイド部と支持部との間にはすべり支承が設けられていることを特徴とする。
本発明では、ガイド部と支持部との間にはすべり支承が設けられていることにより、重量のある積載物であっても容易に移動することができる。
【００１２】
また、本発明に係る床パネルでは、床パネルは二重床構造としてもよい。
本発明では、床パネルは二重床構造とすることにより、各種ケーブルの配線スペースや、機械類からの発熱を冷却する気流スペースを確保することができる。
【００１３】
また、本発明に係る床パネルでは、床パネルは電力および通信機能を有するユニットを備えていて、積載物は電力および通信機能を有するユニットに接続可能である構成としてもよい。
本発明では、床パネルは電力および通信機能を有するユニットを備えていて、積載物は電力および通信機能を有するユニットに接続可能なことにより、積載物を移動しても電力および通信の接続を容易に行うことができる。
【００１４】
また、本発明では、床パネルは複数並べて使用可能であることを特徴とする。
本発明では、所定の範囲に床パネルを複数並べて敷設できるので、その範囲内において積載物の移動を容易に行うことができる。
【発明の効果】
【００１５】
本発明によれば、積載物を支持する支持部は床パネル本体に設けられたガイド部に沿って移動可能なので、積載物の移動を容易に行うことができて、建物内のレイアウト変更が行いやすく、積載物の移動に伴う労力と時間を軽減できると共に、建物内のスペースの利用効率を向上させることができる。
【図面の簡単な説明】
【００１６】
【図１】本発明の第一の実施の形態による床パネルの一例を示す斜視図である。
【図２】（ａ）は図１に示す床パネルの上面図、（ｂ）は図１に示す床パネルの側面図である。
【図３】図１に示す床パネルに積載物が設置された状態を表す図である。
【図４】図１に示す床パネルに積載物が設置された他の状態を表す図である。
【図５】本発明の第二の実施の形態による床パネルを示す図である。
【図６】図５に示す床パネルに積載物が設置された状態を示す図である。
【図７】（ａ）は本発明の第三の実施による床パネルの上面図、（ｂ）は（ａ）の側面図である。
【図８】（ａ）は本発明の第四の実施による床パネルの上面図、（ｂ）は（ａ）の側面図である。
【発明を実施するための形態】
【００１７】
以下、本発明の実施の形態による床パネルについて、図１乃至図４に基づいて説明する。
図１、図２（ａ）、（ｂ）に示すように、本実施の形態による床パネル１ａは、建物の構造床１０の上に複数並べて配設される床パネル本体２と、什器や機械類などの積載物３０を支持すると共に床パネル本体２に設けられたレール（ガイド部）３に沿って移動可能な支持部４と、支持部４を床パネル本体２に固定できる固定部材２５と、から概略構成されている。
そして、図３に示すように、支持部４の上方には積載物３０を設置する架台３１が取り付けられて、支持部４がレール３に沿って移動することによって積載物３０も移動できる構造である。
【００１８】
図１、２（ａ）、（ｂ）に示すように、床パネル本体２は、例えば、スチール材料などからなる平面視正方形のパネル部材である。床パネル本体２の上面には、水平方向に直交する２本の溝状のレール３が形成されている。レール３は、略Ｔ字型を上下逆にした断面形状をしており、その底面にはステンレスなどで形成されたすべり板１１が設けられている。床パネル１ａが構造床１０に並べて配設される際には、隣り合う床パネル１ａのレール３が連続する。
床パネル本体２には、固定部材２５を挿入する複数の孔部１２がレール３の側方に所定の間隔をあけて設けられている。
【００１９】
図２（ｂ）に示すように、支持部４は、床パネル本体２の上面２ａと隙間をあけて配設される第一の平板部２１と、すべり板１１の上に配設される第二の平板部２２と、第一および第二の平板部２１、２２を連結する連結部２３と、から構成されている。
【００２０】
第一の平板部２１は、平面視四角形の板状の部材で、上方に積載物３０を載せる架台３１が固定される。また、第一の平板部２１の四隅には、固定部材２５を挿通させる貫通孔２４が設けられている。
第二の平板部２２は、平面視四角形の板状の部材で、レール３の底面に沿って移動できる大きさに形成されている。第二の平板部２２の下面２２ａにはＰＴＦＥ系材料で形成されたすべり材が装着されて、第二の平板部２２とすべり板１１との摩擦が小さくなるように設定され、第二の平板部２２の下面２２ａとすべり板と１１ですべり支承２６が構成される。
第一および第二の平板部２１、２２と連結部２３は、それぞれ個別に形成された部材を連結してもよく、一体に形成されてもよい。
【００２１】
このように形成された支持部４は、積載物３０および架台３１を支持し、その荷重を床パネル本体２を介して構造床１０へ伝達する。また、支持部４は、レール３に沿って移動することができ、レール３が直交する部分では、支持部４は移動方向を９０°変えることができる。
【００２２】
図１、図２（ａ）、（ｂ）に示すように、固定部材２５は、ピンやボルトなどの部材で、第一の平板部２１の貫通孔２４に上側から挿通され、床パネル本体２の孔部１２に挿入される。固定部材２５がボルトの場合には、貫通孔２４や孔部１２の内周面にネジ山が形成されている。
床パネル本体２の孔部１２は所定の間隔をあけて複数設けられているので、支持部４の位置にあわせて任意の孔部１２へ固定部材２５を挿通することができる。
【００２３】
このように形成された床パネル１ａは、建物の構造床１０に並べて配設される。このとき、隣り合う床パネル１ａのレール３端部をそれぞれ合わせて、支持部４は複数の床パネル１ａのレール３上を移動可能とする。
このとき、床パネル１ａは、接着剤や予め構造床１０へ施工しておいたアンカーボルトなどによって構造床１０へ固定する。また、隣り合う床パネル１ａどうしを接着剤や金具などで連結してもよい。
このように床パネル１ａを構造床１０へ固定したり、隣り合う床パネル１ａを連結したりすることによって、耐震性を高めることができる。
【００２４】
次に、床パネル１ａへの積載物３０の設置方法について図３を用いて説明する。
まず、積載物３０の設置位置に支持部４を配設し、固定部材２５で床パネル本体２へ固定する。支持部４はレール３のピッチにあわせて複数配設されて、隣り合う支持部４の間には所定の間隔が設けられている。
次に、支持部４の上に架台３１を設置し、支持部４と架台３１とをボルトや金具などで固定する。このとき、支持部４は、図３に示すように架台３１の端部に固定されてもよく、また、図４に示すように、架台３１の端部と端部より内側とに固定され、架台３１が支持部４から持ち出す構造となってもよい。
【００２５】
そして、支持部４に固定された架台３１の上に積載物３０を設置する。このとき、積載物３０は架台３１に金具などで固定されてもよい。
なお、固定部材２５による床パネル本体２への支持部４の固定は、支持部４へ架台３１を設置した後や、積載物３０を設置した後に行ってもよい。
【００２６】
また、室内のレイアウト変更などにより積載物３０を移動させる場合には、まず、支持部４が積載物３０および架台３１を支持した状態のまま固定部材を２５をはずす。そして、積載物３０を架台３１および支持部４と共にレール３に沿って所定の位置に移動させ、固定部材２５を設置して支持部４を床パネル本体２に固定する。
【００２７】
次に、上述した第一の実施の形態による床パネル１ａの作用について図面を用いて説明する。
床パネル１ａは、支持部４が積載物３０および架台３１を支持すると共に、レール３に沿って移動できるので、支持部４の上に設置された積載物３０を容易に移動させることができる。
また、レール３の底面のすべり板１１と、支持部４の第二の平板部２２の下面２２ａとですべり支承２６を構成しているので、支持部４の上に設置された積載物３０の荷重が重い場合でも積載物３０を容易に移動させることができる。
また、レール３のピッチに合わせて支持部４の個数を増やすことができるので、積載物３０の形状が大きい場合や、重量が重い場合には、多くの支持部４で積載物３０および架台３１を支持することができる。
【００２８】
また、例えば通信機械室などで、機械などの積載物３０を複数設置する場合には、機械が移動できることにより機械のメンテナンス用のスペースを機械ごとに設置せずに共有させることができる。
【００２９】
上述した第一の実施の形態による床パネル１ａでは、積載物３０を支持する支持部４が床パネル本体２のレール３に沿って移動できることにより、積載物３０の移動を容易に行うことができ、積載物３０の移動に伴う労力や時間を軽減できて、室のレイアウト変更が行いやすく、スペースの利用効率を向上させることができる効果を奏する。
【００３０】
次に、他の実施の形態について、添付図面に基づいて説明するが、上述の第一の実施の形態と同一又は同様な部材、部分には同一の符号を用いて説明を省略し、第一の実施の形態と異なる構成について説明する。
【００３１】
図５に示すように、第二の実施の形態による床パネル１ｂでは、支持部４と架台３１との間に、高さ調整部材３２が配設されて、床パネル１ａと架台３１とは高さ方向に離れ、床パネル１ａと架台３１との間にスペースＳが設けられている。
このスペースＳは、積載物３０に配線類がある場合には配線を設置することができ、また積載物３０が機械類などの場合には、機械類の放熱による室内の温度上昇を抑えるための気流スペースとして使用することができる。
【００３２】
高さ調整部材３２は、スペースＳの高さにあわせて形成されて、架台３１および積載物３０の荷重を支持できる強度を有する部材とする。
なお、高さ調整部材３２は、図５に示すように架台３１の端部に固定されてもよく、また、図６に示すように、架台３１の端部と端部より内側とに固定され、架台３１が高さ調整部材３２から持ち出す構造となってもよい。
【００３３】
第二の実施の形態による床パネル１ｂによれば、積載物３０が高さ調整部材３２を介して支持部４に支持されているので、第一の実施の形態による床パネル１ａと同様の効果を奏する。
また、床パネル本体２と架台３１との間に高さ調整部材３２を設置することによって、スペースＳができるので、このスペースＳを機械類の気流スペースや、配線スペースとして使用することができて、室内を有効に利用することができる。
【００３４】
図７（ａ）、（ｂ）に示すように、第三の実施の形態による床パネル１ｃでは、床パネル本体４１と構造床１０との間に空間部４２が設けられた二重床の構造となっている。
床パネル本体４１は、第一の実施の形態による床パネル本体２と同様の構成をしており、床パネル本体４１の上部から空間部４２につながる開口部４３が形成されている。
【００３５】
空間部４２は、構造床１０に配設される底板４５と、底板に設置され床パネル本体４１を支持する複数の脚部材４４と、を備えている。
底板４５は床パネル本体４１の平面形状と同じ大きさに形成されている。
脚部材４４は、空間部４２の高さにあわせて形成されて、床パネル本体４１および積載物３０、架台３１の荷重を支持できる強度を有する部材とする。
脚部材４４は床パネル本体４１と一体に形成されてもよく、底板４５に設置された脚部材４４の上に床パネル本体４１を設置してもよい。
空間部４２は、積載物３０の電力や通信などの配線スペースとして利用することができる。また、通信機械室などの場合では、空間部４２に空調空気を送風し、室内に空調空気を給気して、機械類からの発熱による室内の温度上昇を防いでいる。
【００３６】
開口部４３は、用途に合わせた大きさに形成される。開口部４３に配線を通す場合には、配線が通る程度の開口部としてもよい。また、開口部４３の必要がない部分には、開口部４３を塞ぐ蓋などを設置してもよい。
また、空間部４２を空調に利用する場合には、空調空気の給気口として開口部４３を必要な場所のみに設置してもよい。
【００３７】
上述した床パネル１ｃへの積載物３０の設置は、第一の実施の形態と同様に支持部４に固定された架台３１に積載物３０を設置する。そして、積載物３０に配線３０ａがある場合には、開口部４３より空間部４２に配線３０ａを設置し、空間部４２に配設されて電力や通信の基盤とつながる配線と接続する。
そして、積載物３０を移動する場合には、まず、積載物３０の配線３０ａをはずし、第一の実施の形態と同様に支持部４を移動させて積載物３０を移動させる。積載物３０を所定の位置に移動させた後に、再度、配線３０ａを接続させる。
なお、予め配線３０ａに余長を持たせて積載物３０が設置されている場合には、配線３０ａをはずさずに積載物３０を移動させることができる。
【００３８】
第三の実施の形態による床パネル１ｃでは、積載物３０は支持部４に固定された架台３１に固定されているので、第一の実施の形態による床パネル１ａと同様の効果を奏する。
そして、床パネル本体４１の下方に空間部４２が形成されているので、空間部４２を配線スペースや空調空気の送風スペースとして使用することができて、室内を有効に利用することができる。
【００３９】
図８（ａ）、（ｂ）に示すように、第四の実施の形態による床パネル１ｄでは、床パネル本体５１に、電力および通信の配線接続が可能な電力通信接続ユニット５２が設けられている。積載物３０の電力や通信の配線は支持部５５を介して電力通信接続ユニット５２へ接続される。
【００４０】
支持部５５は、第一の実施の形態による支持部４に、電力および通信の接続を行う機能が付加されたもので、第一の平板部２１の側方には、電力および通信の配線３０ａが接続可能な積載物側接続部５３が設けられていて、第二の平板部２２の側方には、電力通信接続ユニット５２と接続可能な電力通信接続ユニット側接続部５４が設けられている。
積載物側接続部５３と電力通信接続ユニット側接続部５４とは、支持部５５の内部、または側面に設けられた配線で接続されている。
電力通信接続ユニット５２は、電力通信接続ユニット側接続部５４と接続できる位置に設けられている。電力通信接続ユニット５２は、建物内の電力および通信の基盤と接続されている。なお、電力通信接続ユニット５２は、建物内の電力および通信の基盤と直接接続されていてもよく、隣接する床パネル１ｄの電力通信接続ユニット５２を介して接続されていてもよい。
【００４１】
上述した床パネル１ｄでは、支持部５５に固定された架台３１に積載物３０が設置される。そして、積載物３０の電力および通信の配線３０ａを積載物側接続部５３に接続する。そして、電力通信接続ユニット側接続部５４が電力通信接続ユニット５２と接続されることにより、積載物３０は電力および通信の接続がされた状態となる。なお、積載物３０は、電力と通信のいずれかの接続のみを行ってもよい。
積載物３０を移動させる場合には、電力通信接続ユニット側接続部５４と電力通信接続ユニット５２との接続を解除し、積載物３０を所定の位置へ移動させ、別の電力通信接続ユニット５２へ電力通信接続ユニット側接続部５４を接続する。
また、電力通信接続ユニット５２は、ネットワーク設定や、送電設定などの各種設定は遠隔操作が可能なものとしておくことが好ましい。
【００４２】
第四の実施の形態による床パネル１ｄでは、積載物３０は支持部５５に固定された架台３１に設置されているので、第一の実施の形態による床パネル１ａと同様の効果を奏する。
また、第四の実施の形態による床パネル１ｄには、電力通信接続ユニット５２が設けられていることにより、床パネル１ｄの上部に配設された機械類などの積載物３０を移動した際にも、電力や通信の接続を容易に行うことができる。
【００４３】
以上、本発明による床パネルの実施の形態について説明したが、本発明は上記の実施の形態に限定されるものではなく、その趣旨を逸脱しない範囲で適宜変更可能である。
例えば、上述した実施の形態では、床パネル本体２の形状は平面視正方形としているが、長方形などそのほかの形状としてもよい。
また、上記の実施の形態では、床パネル本体２に直交する２方向のレール３が備えられているが、１方向のみに延在するレール３が備えられていてもよい。また、直行する２方向のレール３が２本ずつ備えられていてもよく、複数のレール３が平行や、所定の角度で交差してもよい。
また、レール３の底面のすべり板１１と支持部４の第二の平板部２２の下面２２ａとですべり支承２６を構成しているが、すべり支承２６の他に、例えばローラーやベアリングなどをレール３の底面または第二の平板部２２の下面に設置し、レール３の底面と第二の平板部２２の下面２２ａとの摩擦を小さくし、積載物３０の移動を行いやすくしてもよい。
また、第二の平板部２２の下面２２ａにはＰＴＦＥ系材料で形成されたすべり材が装着されているが、すべり材はＰＴＦＥ系材料で形成されたものに限定されず、ポリアミドや超高分子量ポリエチレンやその他の材料などで形成されていてもよい。
また、積載物３０は架台３１の上に設置しているが、積載物３０を直接支持部４に取り付けてもよく、また、積載物３０を直接高さ調整部材３２に取り付けてもよい。
また、床パネル１ａ〜１ｄのレール３の高さをあわせて、床パネル１ａ〜１ｄを組み合わせて使用してもよい。
また、上記の実施の形態では、支持部４の第一、第二の平板部２１、２２は平面視四角形であるが、円形やその他の形状であってもよい。
また、第三、四の実施の形態に、第二の実施の形態による支持部４と架台３１との間に高さ調整部材３２を設置してもよい。
【符号の説明】
【００４４】
１ａ、１ｂ、１ｃ、１ｄ  床パネル
２、４１、５１  床パネル本体
３  レール（ガイド部）
４、５５  支持部
１０  構造床
２６  すべり支承
３０  積載物
３１  架台
３２  高さ調整部材
４２  空間部
５２  電力通信接続ユニット
【図１】
2010261176.tif 000003
【図２】
2010261176.tif 000004
【図３】
2010261176.tif 000005
【図４】
2010261176.tif 000006
【図５】
2010261176.tif 000007
【図６】
2010261176.tif 000008
【図７】
2010261176.tif 000009
【図８】
2010261176.tif 000010